(57)【要約】      （修正有）【課題】全体的にすっきりとした外観を保つと同時に、操作が容易で、且つ、泥除けに装着しやすい構造を有することにより、品質の安定性を維持し、組立コストを削減する、自転車の泥除け上のテールランプを提供する。【解決手段】上側ケース１と下側ケース２内に、標準型回路板４が設置されている。上側ケース１と下側ケース２の間に、防水ワッシャー２４が設置されている。スイッチボタン４０の上方に防水ボタンカバー１３０が設置されている。上側ケース１に半透明光拡散フィルム１４０が結合されている。下側ケース２の底面に泥除けのカーブ曲線に完全に合致するように形成されている。少なくとも二個の位置固定柱２０、２１が突出して設置されている。これにより、全面的に確実に防水機能を有する。また、下側ケース２の底面がすべての泥除けに簡単且つ完全に張り付くことができる。【選択図】図４
0003198064.tif 000002
【実用新案登録請求の範囲】
【請求項１】
自転車の泥除けに設けられているテールランプであり、
上側ケース、下側ケース、及び、標準型回路板を備え、
前記下側ケースは、箱体であり、内部に少なくとも二個の位置固定柱が設置されており、上端に前記下側ケースの辺縁の壁内に接続する内高外低の接続辺縁壁が二つ形成されており、二つの前記接続辺縁壁の間に防水ワッシャーが設置されており、内側の前記接続辺縁壁の適当な位置に少なくとも四個の固定孔が設置されており、前記下側ケースの二個の前記辺縁にそれぞれ電線孔が設置されており、前記電線孔内に防水カバーが設置されており、底面に位置決めブロック及び固定ねじが設置されており、前記底面の縦方向および横方向のいずれも曲面を有し、前記曲面が前記泥除けの表面曲線に合致し、前記泥除けに貼り付き可能であり、全ての泥除けの表面に適合し、
前記標準型回路板は、ＩＣ回路と関連する回路、スイッチボタン、複数のＬＥＤチップ、前記位置固定柱を貫通させる定位孔、及び、二本の電線接続コードを有し、固定ねじ部材によって前記下側ケース内に固定されており、二本の前記電線接続コードが前記防水カバーを貫通し電源出力コードに接続されており、
前記上側ケースは、基本形状が前記下側ケースに対応しており、下端面に前記上側ケースの辺縁の壁内に接続する内低外高の接続辺縁壁が二つ形成されており、二つの前記接続辺縁壁の間に防水ワッシャーを挟むのに用いられる溝が形成されており、上端面が前記スイッチボタンと複数のＬＥＤチップ等を有する位置に対応しており、スイッチボタン孔およびランプ孔が形成されており、前記スイッチボタン孔の中に防水ボタンカバーがはめ込まれており、半透明光拡散フィルムが前記ランプ孔の中に結合されており、前記半透明光拡散フィルムと前記上側ケースとが完全に結合かつ一体化となり、前記ランプ孔が完全に密封されており、前記固定孔に対応する前記上側ケースの前記辺縁の内側に係止ブロックが設置されており、前記係止ブロックが前記下側ケースの前記固定孔内にはめ込まれており、前記上側ケースと前記下側ケースとが一体となり、全面的に密封されていることを特徴とする自転車の泥除けのテールランプ。
【考案の詳細な説明】
【技術分野】
【０００１】
本考案は、自転車に関し、詳しくは、自転車の泥除けのテールランプに関する。
【背景技術】
【０００２】
特許文献１に記載の「自転車泥除け構造の改良」は、図１から図３に示したとおりであり、本考案の考案者と同一の考案者によるものである。前記「自転車泥除け構造の改良」は、主に、自転車または電動自転車の泥除け３上に半透明光拡散ランプ５、固定端頭部６及び尾翼７が設置される。半透明光拡散ランプ５内には、ＬＥＤランプバー８または発光ランプバーが設置される。さらに、固定端頭部６及び尾翼７によって、自転車または電動自転車の泥除け３に固定されると同時に、半透明光拡散ランプ５の上、下の端部開口に接続されて密封されることで、半透明光拡散ランプ５及びその内側のＬＥＤランプバー８または発光ランプバーまたは光反射バーまたは装飾バーまたはその他の接続部材を共に自転車の泥除け３上に固定して、相互に一体に結合させることによって隠す目的を達成し、且つ、照明、警告効果を有し、さらに、多種の組合せまたは接続が可能な自転車の泥除けの構造を有することを特徴とする。
【０００３】
上述の固定端頭部６上には、端部開口６０及び固定孔６１を有し、端部開口６０によって半透明光拡散ランプ５がはめ込まれて固定される。固定ねじ６２またはリベットによって固定孔６１を貫通して、固定端頭部６と自転車の泥除け３が固定されて一体化することで、防水効果を有すると同時に、半透明光拡散ランプ５を固定させ、全体的な美観を高める効果を有する。尾翼７は、それぞれ接続カバー部７０と尾翼部７１を有して結合し、夾角を呈する。接続カバー部７０は、基本的には、自転車の泥除けの端面形状を基準とすることで、自転車の泥除け３の端部開口にはまり込む。その上に二個以上の固定孔７００及び半透明光拡散ランプ５のために設けられた突出部７０１を有し、上述二個の固定孔７００間には  内方向凹み溝７０２が設けられて接続されることで、前記内方向凹み溝７０２がＬＥＤランプバーの電線８０を収納すると同時に隠す。尾翼部７１は、主に、泥はねを防ぎ、水が車輪によって上に向かってはねるのを阻止する作用を有する。故に、下向きの傾斜及び下向きに延伸する辺縁７１０を有する設計により、二本の導電固定ねじ７０３または導電リベットまたは導電固定接続部材によって固定孔７００を貫通して、尾翼７、ＬＥＤランプバー８の電線８０と自転車の泥除け３内の導電アルミ箔３１が固定されて一体となる。故に、尾翼７は、泥はねを防ぎ、水が上にはねるのを阻止する効果を有する外、固定して水が半透明光拡散ランプ５内に進入するのを防止し、さらに、自転車の泥除けの全体的な美観を高める効果を有する。半透明光拡散ランプ５は、半透明な光を拡散させる材質から製成され、端面の形状は、半円形、円弧形、多辺形、長方形、またはその他の形状で、その管内には相対する形状のＬＥＤランプバー８または発光ランプバーまたは光反射バーまたは装飾バーまたはその他の接続部材が設置される。その半透明光拡散効果及び保護作用によって、ＬＥＤランプバー８または発光ランプバーまたは光反射バーが発射した光がまぶしくない程度に拡散し、雨に濡れるのを防ぐことで、照明、警告の目的を達成し、さらに、ＬＥＤランプバー８または発光ランプバーまたは光反射バーの機能を保護する外、半透明光拡散ランプ５底面は、粘着層５０を有することで、粘着層５０を介して全面的に自転車の泥除け３上に粘着固定されることで、半透明光拡散ランプ５が全面的に自転車の泥除け３上に粘着及び固定される。これは、図２に示したとおりである。上述の登録案はすでに従来の自転車の泥除けのテールランプ構造の欠点を改善するものであるが、依然として改善の余地がある事は否めない。故に、自転車の泥除けのテールランプ構造に対してさらなる進歩性及び性能の向上を追求して改善するものである。
【先行技術文献】
【特許文献】
【０００４】
【特許文献１】台湾実用新案第Ｍ４６５３２３号明細書
【考案の概要】
【考案が解決しようとする課題】
【０００５】
本考案は、上述の問題に鑑みてなされたものであり、その目的は、自転車の泥除けの改良されたテールランプを提供することにある。
【課題を解決するための手段】
【０００６】
本考案の自転車の泥除けのテールランプは、上側ケース、下側ケース、および標準型回路板を備える。これにより、全体的にすっきりとした外観で、操作が容易で、且つ、泥除け上に装着しやすい構造を有することで、効果的に品質の安定及び組立時のコストを抑制し、大幅にコストの削減を図ることができる。
【０００７】
本考案の自転車の泥除けのテールランプは、上側ケースと下側ケースとの間に、防水ワッシャーが設置されている。また、スイッチボタンの上方のケースに防水ボタンカバーが設置されている。これにより、全体的にすっきりとした外観で、操作が容易である外、確実に防水の機能を有する。
【０００８】
本考案の自転車の泥除けのテールランプは、下側ケースの底面に泥除けのカーブ曲線に完全に適合するように形成されている。さらに、少なくとも二個の位置固定柱が突出して設置されている。固定柱は、泥除けに簡単且つ完全に張り付くように固定されている。これにより、全体的にすっきりとした外観で、操作も容易である。
【図面の簡単な説明】
【０００９】
【図１】従来の自転車泥除けを示す分解図である。
【図２】従来の自転車泥除けを示す斜視図である。
【図３】従来の自転車泥除けを示す側面断面図である。
【図４】本考案の一実施形態による自転車の泥除けのテールランプを示す分解図である。
【図５】本考案の一実施形態による自転車の泥除けのテールランプを示す斜視図である。
【図６】本考案の一実施形態による自転車の泥除けのテールランプを示す断面図である。
【図７】図６のＡ−Ａ線断面図である。
【図８】本考案の一実施形態による自転車の泥除けのテールランプが自転車に装着された状態を示す断面図である。
【考案を実施するための形態】
【００１０】
以下に、図を参照しながら、本考案の実施形態による自転車の泥除けのテールランプの特徴および機能について説明する。
【００１１】
図４から図７を参照しながら説明する。図４から図７は、本考案の一実施形態による自転車の泥除けのテールランプの分解図及び組合せ時の断面図である。図からわかるように、本実施形態による自転車の泥除けのテールランプは、主に、上側ケース、下側ケース１、２、及び、標準型回路板４から構成される。このうち、下側ケース２は、ケース体を呈する。そのケース内には、少なくとも二個の位置固定柱２０、２１が設置される。さらに、その上端は辺縁の壁内に接続する内高外低の二つの接続辺縁壁２２、２３に分かれる。二つの接続辺縁壁２２、２３間には、防水ワッシャー２４が挟まれて設置される。内側の接続辺縁壁２２の適当な位置に少なくとも四個の固定孔２２０が設置され、さらに、その二個の辺縁中にそれぞれ電線孔２２１が設置される。前記電線孔２２１内には、防水カバー２２１ａが設置される。また、その底面２５の縦横二方向がいずれもカーブを描く局面を有することで、泥除け３の表面曲線に合致することにより、下側ケース２に完全に全面的に貼り付き、全ての泥除け３の表面上にも適合して張り付く。標準型回路板４には、ＩＣ回路と関連する回路が設置される外、スイッチボタン４０、複数のＬＥＤチップ４１及び位置固定柱２０、２１を固定するための定位孔４２、４３及び二本の電線接続コード４４、４５が設置される。固定ねじ部材ａによって、下側ケース２内に固定される。二本の電線接続コード４４、４５は、防水カバー２２１ａを貫通した後、電源出力コードに接続される。上側ケース１は、基本形状が下側ケース２に応じて決まる。その下端面は、辺縁の壁内に接続する二つの内低外高の接続辺縁壁１０、１１が形成されている。接続辺縁壁１０、１１間には、防水ワッシャー２４を挟むための溝１２を形成する。さらに、その上端面は、スイッチボタン４０と複数のＬＥＤチップ４１等を有する位置に対応して、それぞれ、スイッチボタン孔１３とランプ孔１４が設置される。前記スイッチボタン孔１３中には、防水ボタンカバー１３０がはめ込まれ、さらに、高週波技術により、半透明光拡散フィルム１４０が前記ランプ孔１４中に結合されて、半透明光拡散フィルム１４０を上側ケース１と完全に結合させて一体化させて、完全に前記ランプ孔１４を密封する。また、それは固定孔２２０の辺縁内側上に突出して設置される係止ブロック１５に対応する。前記係止ブロック１５が下側ケース２の固定孔２２０内にはめ込まれることにより、上側ケース、下側ケース１、２が接続されて一体となり、全面的に密封されて水が染み込むことがない。
【００１２】
図８に示されたのは、本考案が自転車及び自転車の泥除け上に装着された状態を示す側面断面図である。下側ケース２の底面２５上の位置決めブロック２５０及び固定ねじ２５１によって、対応する泥除け３上の位置固定穴３０中に貫通して設置される。また、ねじ部材ｂによって、固定ねじ２５１上に螺合されてしっかりと締め付けられることで、下側ケース２が泥除け３の表面上に固定される。その二本の電線接続コード４４、４５は、それぞれ固定ねじ部材によって、泥除け３内の電源出力コード上に螺合接続される。全体的にすっきりとした、泥除け３と融合した一体化した外観を呈する状況は、添付写真のとおりである。
【００１３】
このように、本考案の自転車及び自転車の泥除け上のテールランプの構造に対する改良は、確実に、従来の自転車泥除け上のテールランプの構造が有する既存の欠点を解決して、特許文献1に記載の「自転車泥除け構造の改良」の問題を改善する。上側ケース、下側ケース内に、標準型回路を設置して組成されることで、全体にすっきりとした外観で、操作が容易で、且つ、泥除け上に装着しやすい構造を有することにより、効果的に品質が安定し、組立時のコストを抑制して、大幅なコスト削減が図れる。
【００１４】
以上、本考案の実施形態を図面に基づいて詳述した。具体的な構成は、これらの実施形態に限られるものではなく、本考案の要旨を逸脱しない範囲の設計変更などがあっても、本考案に含まれる。
【符号の説明】
【００１５】
３  泥除け
５  半透明光拡散ランプ
６  固定端頭部
７  尾翼
８  ＬＥＤランプバー  
６０  端部開口
６１  固定孔
６２  固定ねじ
７０  接続カバー部
７１  尾翼部
７００  固定孔
７０１  突出部
７０２  内方向凹み溝
８０  電線
７１０  辺縁
５０  粘着層
５１  係止ブロック  
７０３  導電固定ねじ
３０  位置固定穴
３１  導電アルミ箔
１  上側ケース
２  下側ケース
４  標準型回路板
４１  ＬＥＤチップ
２０、２１  位置固定柱
２２、２３  接続辺縁壁
２２０  固定孔
２２１  電線孔
２２１ａ  防水カバー
２５  カーブ状底面
４０  スイッチボタン
４２、４３  位置固定穴
４４、４５  電線接続コード
ａ  固定ねじ部材
１２  溝
１０、１１  接続辺縁壁
２４  防水ワッシャー
１３  スイッチボタン孔
１４  ランプ孔
１３０  防水ボタンカバー
１４０  半透明光拡散フィルム
１５  係止ブロック
２５０  位置決めブロック
２５１  固定ねじ
ｂ  ねじ部材
【図１】
0003198064.tif 000003
【図２】
0003198064.tif 000004
【図３】
0003198064.tif 000005
【図４】
0003198064.tif 000006
【図５】
0003198064.tif 000007
【図６】
0003198064.tif 000008
【図７】
0003198064.tif 000009
【図８】
0003198064.tif 000010